(57)【要約】  サンプラからの体液試料を分析するための方法及び装置（２）が開示されており、この装置（２）は、  複数のスロット（１０）を含むサンプラベッド（４）であって、各スロットは、体液試料を収容するサンプラを受容するように構成されている、サンプラベッドと、  体液試料を分析するように構成された分析ユニットと、  スロット（１０）のいずれかから、サンプラからの体液試料を引き出し、引き出された体液試料を分析ユニットに供給するように構成された少なくとも１つの入口（６）と、  少なくとも１つの表示領域（８）を含む少なくとも１つの表示ユニットと、を備え、  この装置は、少なくとも１つの表示領域の複数の一次ゾーン（１２）内で画像情報を同時に表示するように構成され、複数の一次ゾーンは、各スロット（１０）のための一次ゾーンを含み、一次ゾーン（１２）の各々は、それぞれのスロット（１０）に個々に対面し、画像情報は、各一次ゾーン内のそれぞれの一次画像情報部分を含み、各それぞれの一次画像情報部分は、それぞれの一次ゾーンによって対面されるそれぞれのスロットに関係する。【選択図】図１
2020514698.tif 000002
【特許請求の範囲】
【請求項１】
サンプラからの体液試料を分析するための装置であって、
−複数のスロットを含むサンプラベッドであって、各スロットが、体液試料を収容するサンプラを受容するように構成されている、サンプラベッドと、
−体液試料を分析するように構成された分析ユニットと、
−前記スロットのいずれかから、サンプラからの体液試料を引き出し、前記引き出された体液試料を前記分析ユニットに供給するように構成された少なくとも１つの入口と、
−少なくとも１つの表示領域を含む少なくとも１つの表示ユニットと、を備え、
前記装置が、前記少なくとも１つの表示領域の複数の一次ゾーン内に画像情報を同時に表示するように構成され、前記複数の一次ゾーンが、各スロットのための一次ゾーンを含み、前記一次ゾーンの各々が、それぞれのスロットに個々に対面し、前記画像情報が、各一次ゾーン内のそれぞれの一次画像情報部分を含み、各それぞれの一次画像情報部分が、前記それぞれの一次ゾーンによって対面される前記それぞれのスロットに関係する、装置。
【請求項２】
各スロットが、前記少なくとも１つの表示領域の第１の縁部上にそれぞれの近接点を画定し、各それぞれの近接点が、前記それぞれのスロットに最も近い、前記第１の縁部上の前記点として画定され、各一次ゾーンが、別のスロットにより画定された他のいずれかの近接点に対してよりも、前記関係したスロットにより画定された前記近接点に近い、請求項１に記載の装置。
【請求項３】
前記複数のスロットが、第１の整列を形成し、前記一次ゾーンが、前記第１の整列と平行である第２の整列を形成する、請求項１又は２に記載の装置。
【請求項４】
前記複数のスロット及び前記一次ゾーンが、格子状構造に配置されている、請求項１〜３のいずれか一項に記載の装置。
【請求項５】
各一次ゾーンが、前記関係したスロットとのそれぞれの一次整列を形成し、すべてのそれぞれの一次整列が平行である、請求項１〜４のいずれか一項に記載の装置。
【請求項６】
一次ゾーンと前記関係したスロットとの間の距離が、２０ｃｍ未満である、請求項１〜５のいずれか一項に記載の装置。
【請求項７】
２つの一次ゾーン間の距離が、前記関係した２つのスロット間の距離と一致する、請求項１〜６のいずれか一項に記載の装置。
【請求項８】
前記複数のスロットが、少なくとも３つのスロットを含み、それぞれの一次ゾーンと、隣接する一次ゾーンとの間の距離が、同じである、請求項１〜７のいずれか一項に記載の装置。
【請求項９】
少なくとも１つの一次画像情報部分が、色分けされた情報を含む、請求項１〜８のいずれか一項に記載の装置。
【請求項１０】
少なくとも１つの一次画像情報部分が、前記関係したスロットの状態に関する情報を含む、請求項１〜９のいずれか一項に記載の装置。
【請求項１１】
少なくとも１つの一次画像情報部分が、前記関係したスロットによって保持されたサンプラに関する情報を含む、請求項１〜１０のいずれか一項に記載の装置。
【請求項１２】
各スロットのための中間表示部分を含む複数の中間表示部分を備え、各中間表示部分が、前記それぞれのスロットに関するそれぞれの中間情報を表示するように構成されている、請求項１〜１１のいずれか一項に記載の装置。
【請求項１３】
各中間表示部分は、前記それぞれの中間表示部分と、前記少なくとも１つの表示領域との間の距離が、前記関係したスロットと、前記少なくとも１つの表示領域との間の距離よりも小さくなるように設けられ、各それぞれの中間表示部分と、前記関係したスロットとの間の距離が、１０ｃｍ未満である、請求項１２に記載の装置。
【請求項１４】
各中間表示部分が、ＬＥＤを含む、請求項１２又は１３に記載の装置。
【請求項１５】
一次ゾーンにおいて表示された前記一次画像情報部分、及び／又は請求項１２〜１４のいずれか一項に記載の中間表示部分によって表示された前記中間情報が、脈動及び／又は変化する強度画像を含む、請求項１〜１４のいずれか一項に記載の装置。
【請求項１６】
前記少なくとも１つの表示領域の二次ゾーンにおいて二次画像情報を表示するように構成され、前記二次画像情報が、選択された一次ゾーンに関する前記スロットに関係する、請求項１〜１５のいずれか一項に記載の装置。
【請求項１７】
前記二次ゾーンは、前記選択された一次ゾーンと前記関係したスロットとの間の距離が、前記二次ゾーンと前記関係したスロットとの間の距離よりも小さくなるように設けられている、請求項１６に記載の装置。
【請求項１８】
前記二次ゾーンは、前記選択された一次ゾーンが、前記二次ゾーンと、前記関係したスロットにより画定された前記近接点との間に存在するように設けられている、請求項２に従属した、請求項１７に記載の装置。
【請求項１９】
前記二次画像情報が、前記関係した一次画像情報部分を補完する、請求項１６〜１８のいずれか一項に記載の装置。
【請求項２０】
前記少なくとも１つの入口が、前記スロットのいずれかから、サンプラからの体液試料を引き出すように構成された第１の入口を含む、請求項１〜１９のいずれか一項に記載の装置。
【請求項２１】
前記サンプラベッド及び／又は前記個々のスロットが、前記第１の入口に対して移動可能である、請求項２０に記載の装置。
【請求項２２】
サンプラからの体液試料を分析するための方法であって、
−複数のスロットを含むサンプラベッドのスロットにおいて体液試料を収容するサンプラを受容することと、
−入口を使用して前記サンプラから前記体液試料を引き出すことと、
−前記引き出された体液試料を、体液試料を分析するように構成された分析ユニットに提供することと、
−少なくとも１つの表示ユニットのうちの少なくとも１つの表示領域の複数の一次ゾーン内で画像情報を同時に表示することであって、前記複数の一次ゾーンが、各スロットのための一次ゾーンを含み、前記一次ゾーンの各々が、それぞれのスロットに個々に対面し、前記画像情報が、各一次ゾーン内でそれぞれの一次画像情報部分を含み、各それぞれの一次画像情報部分が、前記それぞれの一次ゾーンによって対面される前記それぞれのスロットに関係する、表示することと、を含む、方法。
【発明の詳細な説明】
【技術分野】
【０００１】
本開示は、サンプラからの体液試料を分析するための装置及び方法に関する。
【背景技術】
【０００２】
救急部門（Emergency Department、ＥＤ）は、事故及び救急部門、救急予備室、又は救急病棟としても知られており、救急医療、特に通常、事前の予約なしに到着する患者の救急処置に特化した医療施設である。更に、患者は、意識不明であることがあり、彼らの医療履歴、アレルギー、及び血液型などの情報が、到着時点では入手できない場合がある。ＥＤにおいて患者対応に関して予測できないという特質から、ＥＤは、病気及び傷害の幅広い分野に対して初期治療を提供しなければならず、それらのいくつかは、生命に関わり、かつ早急な対応が要求される場合がある。したがって、特に、生きるか死ぬかに関わる場合の迅速な判断は、ＥＤにおいて重要である。
【０００３】
その結果、ＥＤにおける医師は、多くの場合、患者に関する様々な多くの局面に対して試験をするのに大きな重圧に直面する。そのような複数の局面は、体液を分析するための分析ユニットを使って、一人の患者からの、血液試料などの単一の体液試料から推定され得る。更に、体液試料を分析したことから得られる結果は、例えば血液分析ユニットによって１分又は数分以内などの比較的高速で提供され得る。結果として、多くの場合、ＥＤにおけるすべての又はほとんどの患者から体液試料を採取してＥＤにおいてこれらの試料を分析することが奨励されている。サンプリングは、通常、医療診断の過程、及び／若しくは治療指示の評価、更には医療試験又は他の手技において支援するために、患者の身体から体液などの物質を収集することとして理解されている。この意味では、試料は、収集された物質（患者からの体液試料など）であり、サンプリングツール（また、サンプラとしても知られている）は、採取される身体から試料を取得及び／又は収容するために用いられる装置である。時間は、救急治療においてそのような重要な因子であるため、ＥＤは、典型的には、ＥＤ自体が所有する診断機器を有し、その機器は、ＥＤ職員によって使用される。これは、そうでない場合にはサンプラを取り扱う専門家が配置され得る同じ病院内などの他の場所にある機器及び職員を待つことを回避するためである。更に、ＥＤは、１日に２４時間稼働している場合があり、これは、さもなければ寝ているであろう１日のうちの時間に働くことになるＥＤ職員に更なるストレスを与え得る。更に、複数の患者及びサンプラは、多くの場合、並行して取り扱われ、これらの患者及び／又はサンプラは、多くの場合、複数のＥＤ職員によって取り扱われる。
【０００４】
サンプラの自動化処理としては、「ＡＢＬ８００ＦＬＥＸ血液ガス分析器」のものが知られており、この分析器は、いつでも最大で３つのサンプラを取り扱うことが可能である。各サンプラは、収容された試料を順次引き出すことができ、そして分析され、続いて分析の結果に関する情報を表示することができる。
【０００５】
したがって、この業界では、上述及び他の欠点を克服する必要がある。
【発明の概要】
【０００６】
本発明の発明者は、サンプラからの体液試料を分析するための方法及び装置を提供する必要性を明確に理解し、その方法及び装置は、改善された使い勝手、及びそれらの使用に起因する疲労の原因、特に、複数の職員によって使用される場合、及び／又は限定するものではないがＥＤにおいて使用するためなどに、複数のサンプラを取り扱う場合の原因を低減する。
【０００７】
本発明は、ＥＤにおける使用に限定されない場合がある。本発明の方法及び装置は、どんな場所でも使用することができる。それらの場所の非限定的な例としては、サンプラからの、血液試料などの体液試料の分析が実施され得る任意の種類の病院及び研究所が挙げられる。
【０００８】
本発明の第１の態様によれば、サンプラからの体液試料を分析するための装置が提供される。この装置は、サンプラベッド、分析ユニット、少なくとも１つの入口、及び少なくとも１つの表示ユニットを備える。サンプラベッドは、複数のスロットを含み、各スロットは、体液試料を収容するサンプラを受容するように構成されている。分析ユニットは、体液試料を分析するように構成されている。少なくとも１つの入口は、スロットのいずれかから、サンプラからの体液試料を引き出し、引き出された体液試料を分析ユニットに供給するように構成されている。少なくとも１つの表示ユニットは、少なくとも１つの表示領域を含む。この装置は、少なくとも１つの表示領域の複数の一次ゾーン内で画像情報を同時に表示するように構成されている。複数の一次ゾーンは、各スロットのための一次ゾーンを含む。一次ゾーンの各々は、それぞれのスロットに個々に対面する。画像情報は、各一次ゾーン内のそれぞれの一次画像情報部分を含む。各それぞれの一次画像情報部分は、それぞれの一次ゾーンによって対面されるそれぞれのスロットに関係する。
【０００９】
本発明の更なる態様によれば、サンプラからの体液試料を分析するための方法が提供される。この方法は、複数のスロットを含むサンプラベッドのスロットにおいて、体液試料を収容するサンプラを受容することを含む。この方法は、サンプラから体液試料を引き出すことを含む。この方法は、引き出された体液試料を、体液試料を分析するように構成された分析ユニットに提供することを含む。この方法は、少なくとも１つの表示領域の複数の一次ゾーン内で画像情報を同時に表示することを含む。複数の一次ゾーンは、各スロットのための一次ゾーンを含む。一次ゾーンの各々は、それぞれのスロットに個々に対面する。画像情報は、各一次ゾーン内のそれぞれの一次画像情報部分を含む。各それぞれの一次画像情報部分は、それぞれの一次ゾーンによって対面されるそれぞれのスロットに関係する。サンプラからの体液試料を分析するための方法の上記のステップの一覧は、上述したもの以外の任意の他の順番で実行することができる。例えば、「画像情報を表示すること」は、「サンプラを受容すること」の以前に提供されてもよい。
【００１０】
したがって、既知の解決策と比較して、ユーザの目へのストレスを低減する装置及び方法が提供される。低減されたストレスが提供される理由は、それぞれのスロットと、少なくとも１つの表示領域上の関係した情報との間の関係／対応を識別及び／又は確認するために、ユーザの目が、それほど移動する必要がないからである。更に、かつ／又はその結果として、ユーザがサンプラ及び／又は対応する試験結果を混同するリスクが、より低いことが挙げられる。
【００１１】
本開示は、上述及び以下の装置を含む様々な態様、並びに上述及び以下などの対応する方法に関する。各態様は、他の態様のうちの１つ以上と関連して記載された利益及び利点のうちの１つ以上をもたらすことができ、各態様は、他の態様のうちの１つ以上と関連して記載され、かつ／又は添付の特許請求の範囲に開示された実施形態に対応する特徴のうちのすべて又はほんのいくつかを有する１つ以上の実施形態を有し得る。
【００１２】
本発明の他のシステム、方法、及び特徴は、以下の図面、及び詳細な説明を吟味する当業者を有する者にとって明らかであり、又は明らかとなるであろう。そのような追加的なシステム、方法、及び特徴は、すべて本明細書に含まれ、本発明の範囲内であり、そして、添付の特許請求の範囲によって保護されることが意図されている。
【図面の簡単な説明】
【００１３】
上記、並びに本発明の概念の追加的な目的、特徴、及び利点は、同様の参照番号が同様の要素に対して使用されている添付の図面を参照しながら、本発明の概念の好ましい実施形態に関する以下の例示的かつ非限定的な詳細な説明を通じて、より良く理解されるであろう。
【００１４】
添付の図面は、本発明の更なる理解を提供するために含まれ、本明細書に組み込まれ、本明細書の一部を構成する。それらの図面は、本発明の実施形態を例示し、その説明と共に本発明の原理を説明する役割を果たす。
【００１５】
他の、並びに更なる態様及び特徴は、以下の実施形態の詳細な説明を読み取ることから明らかであろう。
【００１６】
図面は、実施形態の設計及び有用性を例示し、その中で、同様の要素は、共通の参照番号により参照される。これらの図面は、必ずしも縮尺とおりに描かれているわけではない。上記に列挙された、並びに他の利点及び目的がどのようにして得られるかをより良く理解するために、その実施形態のより具体的な説明が示されており、添付の図面に例示されている。これらの図面は、単なる典型的な実施形態を叙述するのみであり、したがって、その範囲を限定するものと見なされるべきではない。
【図１】本発明に基づく装置の第１の実施形態を概略的に例示する図である。
【図２】装置の一部の整列を例示する重なり合った点線を有する、図１の実施形態を概略的に例示する図である。
【図３】図１の実施形態を概略的に例示し、サンプラベッドが第２の位置に存在する図である。
【図４】図１の装置の少なくとも１つの表示領域の典型的なゾーンを概略的に例示する図である。
【図５】本発明に基づく方法の第１の実施形態を概略的に例示する図である。
【図６】図１の実施形態の断面側面図を概略的に例示する図である。
【図７】図１の実施形態のブロック図を概略的に例示する図である。
【発明を実施するための形態】
【００１７】
本発明に基づく装置は、以下｛ヒト血液、胸膜液、透析液、又は尿｝のいずれかを含み、又はこれらからなる体液試料を分析するために構成され得る。
【００１８】
この装置は、任意の既知の血液ガス分析器などの任意の既知の装置からの要素を備えることができ、かつ／又は同様な方法で機能し得る。
【００１９】
サンプラベッドは、スロットを支持するフレームを含み得る。スロットは、そのフレームに対して、個々に移動可能に取り付けられ得る。個々のスロットの移動は、それぞれのスロットから、それぞれのサンプラからの体液試料の引き出しと関連して利用され得、それによって、それぞれのサンプラから少なくとも１つの入口への接続が、達成され得る。装置のスロットは、複数のスロットとして理解され得る。複数のスロットは、以下の数のスロット｛２個、３個、４個、又は５個以上｝を含み、又はこれらからなり得る。
【００２０】
サンプラベッドは、第１の入口に対して移動可能であり得る。サンプラベッドの移動は、それぞれのスロットから、それぞれのサンプラからの体液試料の引き出しと関連して利用され得、それによって、それぞれのサンプラから少なくとも１つの入口への接続が、達成され得る。
【００２１】
別の方法では、又は組み合わせて、第１の入口（又は複数の入口）は、サンプラベッド、及び／又はそれぞれの別々のスロットに対して移動可能であってもよい。
【００２２】
別の方法では、又は組み合わせて、それぞれのサンプラは、｛サンプラベッド、それぞれのスロット、又は入口｝のいずれかを互いに対して移動させることなく、少なくとも１つの入口に接続されてもよい。
【００２３】
スロットは、サンプラベッド内に凹部を含み、又はそれによって画定されてもよく、その凹部は、サンプラを受容及び／又は保持するように構成される。スロットは、ポート若しくはレセプタクル、又はサンプラを受容及び／若しくは保持するように構成されている任意の部分として理解され得る。スロットは、一方向における、別の方向におけるよりも長い延在部を有してもよいが、そのように限定されなくてもよい。
【００２４】
スロットの位置又は配置を指示する場合、これは、それぞれのスロットによって保持及び／又は受容されるサンプラの位置又は配置として理解されてもよい。
【００２５】
スロットは、細長い形状を有するサンプラを受容するために構成されてもよい。
【００２６】
体液試料を収容するサンプラを受容することは、それぞれのスロットの上／場所／中にそのようなサンプラを手動で配置することによって実現することができる。
【００２７】
分析ユニットは、体液試料を分析するように構成され、分析ユニットの分野で知られているように提供されてもよい。分析ユニットは、例えば、血液ガスを分析するように構成されてもよい。
【００２８】
少なくとも１つの入口は、アパーチャを含んでもよく、そのアパーチャは、サンプラの内容物（すなわち、試料）を引き出すためにサンプラと結合するように構成されてもよい。
【００２９】
「引き出し」はまた、「吸引」としても知られ得る。体液試料がサンプラから引き出されるとき、それぞれのサンプラの内容物全体（又は実質的に全体）が、引き出されてもよい。ただし、残留物が、それぞれのサンプラ内に残ってもよい。あるいは、試料のほんの一部が、引き出されてもよい。看護師が患者から血液試料を取得するとき、その看護師は、少なくとも最小充填ラインまでサンプラを充填する。最小充填ラインは、血液の容積が、血液の構成成分を妨害することなく、サンプラ内の化学物質を血液中に希釈するのに十分であることを確実にする。しかしながら、分析器は、サンプラから一定の容積を吸引し、その容積は、最小充填ラインに充填されたときのサンプラ内の容積よりも少ない。
【００３０】
引き出された試料は、それぞれのサンプラから引き出された後すぐに、分析ユニットに提供され得る。本発明の装置は、引き出された試料を入口から分析ユニットに提供するための配管系を備えることができる。そのような配管系は、入口及び／又は分析ユニットの一部を形成するように考慮され得る。
【００３１】
少なくとも１つの表示領域を含む少なくとも１つの表示ユニットは、任意の電子ディスプレイなどの任意の表示装置によって提供され得る。非限定的な例としては、｛発光ダイオードディスプレイ（Light-Emitting Diode display、ＬＥＤ）、エレクトロルミネッセンスディスプレイ（Electroluminescent Display、ＥＬＤ）、電子ペーパ、Ｅインク、プラズマディスプレイパネル（Plasma Display Panel、ＰＤＰ）、液晶ディスプレイ（Liquid Crystal Display、ＬＣＤ）、高性能アドレシングディスプレイ（High-Performance Addressing display、ＨＰＡ）、薄膜トランジスタディスプレイ（Thin-Film Transistor display、ＴＦＴ）、有機発光ダイオードディスプレイ（Organic Light-Emitting Diode display、ＯＬＥＤ）｝が挙げられる。少なくとも１つの表示ユニットは、第１の表示ユニットを含み得る。少なくとも１つの表示領域は、第１の表示領域を含み得る。第１の表示ユニットは、第１の表示領域を含み得る。
【００３２】
少なくとも１つの表示領域は、実質的に平坦である、などの平坦であってもよい。少なくとも１つの表示領域は、１つ以上の湾曲した縁部などの１つ以上の湾曲部を含んでもよい。
【００３３】
複数の一次ゾーン内に画像情報を同時に表示することは、装置のユーザによって知覚されるように、同時に又は並行して知覚される存在として理解され得る。
【００３４】
複数の一次ゾーンの各々は、少なくとも１つの表示領域内に画定されてもよい。
【００３５】
一次ゾーンの数は、スロットの数と等しくてもよい。
【００３６】
複数の一次ゾーンは、複数のスロットと対面してもよい。
【００３７】
それぞれの一次画像情報部分は、それぞれの一次ゾーン内のすべての画像情報として理解されてもよい。
【００３８】
各それぞれの画像情報部分は、それぞれの一次ゾーンによって対面されるそれぞれのスロットに関係してもよい。「に関係する」とは、「を参照する」、及び／又は「の情報を含む」として理解されてもよい。
【００３９】
複数の一次ゾーンは、第１の表示領域内に画定されてもよい。第１の表示領域は、第１の縁部を画定し得る。第１の表示領域は、４つの縁部を画定し得る。第１の縁部は、４つの縁部などの複数の縁部から取得された、サンプラに最も近い第１の表示領域の縁部として画定されてもよい。
【００４０】
複数の一次ゾーンは、第１の表示領域の第１の縁部が、その複数の一次ゾーンの複数のスロットに対するよりも近いように、提供され得る。
【００４１】
複数の一次ゾーンは、第１の縁部と境界を接してもよい。
【００４２】
複数の一次ゾーンは、第１の表示領域の第１の縁部が、複数の一次ゾーンと複数のスロットとの間に配置されるように提供されてもよい。この文脈では（かつ、本開示全体を通じて、１つの部分は、２つの他の部分の間に存在するものとして定義されている）、「間」とは、ユーザの視点、及び／又はユーザの意図された視点から見えるように理解され得る。ユーザの意図された視点とは、サンプラベッド、及び少なくとも１つの表示領域の前方空間内の領域又は点として定義され得る。これは、サンプラベッドの２０ｃｍ〜１１０ｃｍ以内、及び少なくとも１つの表示領域の２０ｃｍ〜１１０ｃｍ以内、並びに／又は両方の「腕の届く距離」以内であってもよい。これは、以下の図６によって更に例示されている。
【００４３】
少なくとも１つの表示領域（第１の表示領域など）、及びサンプラベッドは、互いに対して傾斜していてもよい。この傾斜は、少なくとも１つの表示領域により画定された第１の平面と、サンプラベッドにより画定された第２の平面との間で画定され得る。サンプラベッドにより画定された第２の平面は、そのような形成がスロットによって提供された場合、例えば、複数のスロットにより形成される一般的な細長い方向として理解され得る。別の方法として、又は組み合わせて、そのような第２の平面は、サンプラベッドにより保持された複数のサンプラにより形成されている一般的な細長い方向によって画定されてもよい。
【００４４】
一次ゾーンの各々は、各スロットが少なくとも１つの表示領域の第１の縁部（第１の表示領域の第１の縁部など）上にそれぞれの近接点を画定するように、個々にそれぞれのスロットに対面してもよく、各それぞれの近接点は、それぞれのスロットに最も近い第１の縁部上の点として画定されており、各一次ゾーンは、別のスロットにより画定された任意の他の近接点に対してよりも、関係したスロットにより画定された近接点に近い。
【００４５】
一次ゾーンの各々は、各一次ゾーンが少なくとも１つの表示領域の第１の縁部（第１の表示領域の第１の縁部など）上にそれぞれの近接点を画定するように、それぞれのスロットに個々に対面してもよく、各それぞれの近接点は、それぞれの一次ゾーンに最も近い第１の縁部上の点として画定されており、各スロットは、別の一次ゾーンにより画定された任意の他の近接点に対してよりも、関係した一次ゾーンにより画定された近接点に近い。
【００４６】
一次ゾーン、及び関係したスロットによりそれぞれ画定された近接点は、一致してもよい。
【００４７】
注意：「それぞれのスロットに個々に対面する一次ゾーン」は、装置の使用中にサンプラベッドの第１の位置に対してなど、装置の使用中に少なくとも一時的に生じることが理解される。したがって、一次ゾーンは、関係したスロットと必ずしも常に対面していなくてもよい。例えば、サンプラベッドは、第１の表示領域に対してなど、少なくとも１つの表示領域に対して一時的に置換可能であってもよい。
【００４８】
「対面する」という用語は、それぞれの個々の一次ゾーンが、任意の他のスロットに対してよりも関係したスロットに近いように理解されてもよい。
【００４９】
「スロット」という用語は、その上／その地点などの、装置上又は装置の場所／部分として理解されてもよい。スロットは、必ずしも細長い形状を有する必要はない。個々のスロットの形状は、サンプラの形状に適合されてもよい。
【００５０】
画像情報（以下に定義されるように、１つ、２つ以上、若しくはすべての一次ゾーン、及び／又は以下に定義される二次画像情報に表示される一次画像情報部分など）は、１つ以上の単語、数字、又は番号などの１つ以上の文字又は記号を含んでもよい。例えば、一次画像情報部分は、例えば１つ以上の単語を使用して、サンプラが、関係したスロット｛に配置され得るか、から取り外されるべきか、から取り外されるべきではないか、に配置され得ず又はそこから取り外されるべきではなかったか｝どうかを指示し得る。後者の場合は、例えば、ユーザがスロットから取り外されるべきではなかったサンプラを取り外してしまった状況を対象として含み得る。したがって、ユーザは、「サンプラを取り替える」（すなわち、それぞれのスロットにおいてもう一度、又は別の空きスロットにおいて、それぞれのサンプラを設置する）ように促され得る。
【００５１】
少なくとも１つの入口は、共通の入口、及び／又は各スロットに対して入口を備えてもよい。共通の入口は、サンプラベッド、及び／又はそれぞれのスロットを使用せずにサンプラから試料を引き出すために手動で使用されるように構成されてもよい。
【００５２】
少なくとも１つの表示領域は、ユーザがやり取りすることができる１つ以上のタッチセンサ式の領域を含んでもよい。やり取りの他の手段は、例えば、キーボード及び／又はカーソル制御による制御を提供することによって設けられてもよい。
【００５３】
やり取りは、例えば、関係した一次ゾーンをクリック又はタッチすることによって、サンプラ及び／若しくはスロット並びに／又は試料を選択することを含んでもよい。
【００５４】
それぞれのスロットに関する情報は、以下のうちの任意の１つ以上に関する情報を含んでもよい｛それぞれのスロットの利用可能状態（例えば、サンプラが配置され得るかどうか、取り外されるべきかどうか、又は取り外されるべきではないかどうか）、それぞれのスロットにより受容／保持される若しくはされたサンプラによって収容される若しくは収容された試料又は試料内容物、操作者（例えば、患者から前述の試料を取得する者）、前述の患者等｝。
【００５５】
一次情報は、｛サンプラ及びスロット｝のうちの任意の１つ以上に関係してもよく、これに対して、二次情報（以下に定義される）は、｛試料、患者、及び操作者｝のうちの任意の１つ以上に関係してもよい。
【００５６】
サンプラは、シリンジ及び／又は毛細管の一部を含むか、又は形成してもよい。本発明に基づく装置は、変化する磁界によって作動させることができる磁気的に操作可能な球体などの組み込み混合球を含むサンプラと共に使用されるように構成されることができる。そのような磁界は、本発明の装置によって、好適なユニットにより発生され得る。したがって、サンプラの内容物は、サンプラがスロットに配置されている間に、混合され得る。これは、試料が引き出され、そして分析器に提供されるのを待つ間に、例えば血液の試料が凝固するのを遅らせることができる。
【００５７】
各スロットは、第１の表示領域の第１の縁部などの、少なくとも１つの表示領域の第１の縁部上にそれぞれの近接点を画定することができる。各それぞれの近接点は、それぞれのスロットに最も近い第１の縁部上の点として、すなわち、第１の縁部上の任意の他の点と比較して画定され得る。「に最も近い」という用語は、それぞれのスロットの各点／部分に平均的に最も近い第１の縁部の１点として理解されてよい。
【００５８】
各一次ゾーンは、別のスロットにより画定された任意の他の近接点に対してよりも、関係したスロットにより画定された近接点に近くてもよい。
【００５９】
したがって、ユーザが特定のスロットに関する一次ゾーンを視覚的に配置する必要がある場合、ストレスのレベルが低減されてユーザの目にもたらし得、その理由は、目が、最初に（第１の／少なくとも１つの）表示領域の縁部を垂直方向に探し、次いで、その縁部の境界とちょうど接し得る最も近い一次ゾーンに移動することによって、最短距離を移動する必要があるからである。
【００６０】
近接点は、一次ゾーン、及び関係したスロットに対して画定され得、逆もまた同様である。したがって、ユーザが特定の一次ゾーンに関するスロットを視覚的に配置する必要がある場合に、同様の利点がもたらされ得る。
【００６１】
一次ゾーンに関するスロットは、一次ゾーンによって関係し合っているスロットとして理解されてもよい。
【００６２】
複数のスロットは、第１の整列を形成してもよい。それぞれの一次ゾーンは、第２の整列を形成してもよい。第２の整列は、第１の整列と平行であってもよい。したがって、ユーザの目は、各それぞれのスロットと、関係した一次ゾーンとの間の対応／関係を確認するために、スロット／一次ゾーンの各「ペア」に対して同様の方法で移動してもよい。「関係した一次ゾーン」という用語は、それぞれのスロットに関する一次ゾーンとして理解されてもよい。
【００６３】
複数のスロット、及びそれぞれの一次ゾーンは、格子状構造に配置されてもよい。格子状構造は、等間隔の水平線、及び／又は等間隔の垂直線から構成されるネットワークとして理解され得る。他の格子状構造が、提供されてもよい。したがって、交差する線は、一次ゾーン／スロットの位置を画定し得る。
【００６４】
各一次ゾーンは、関係したスロットと共に一次整列を形成し得、その結果、すべての一次整列は、平行である。これは、ユーザが目を凝らして使うのを軽減することができる。
【００６５】
一次ゾーンと、関係したスロットとの間の距離は、２０ｃｍ未満、例えば１５ｃｍ、１０ｃｍ、又は５ｃｍとしてもよい。少なくとも１つの表示領域の第１の縁部と、複数のスロットとの間の距離は、２０ｃｍ未満、例えば１５ｃｍ、１０ｃｍ、又は５ｃｍとしてもよい。上記で定義された距離は、それらの最も近い部分の間にあるものとして定義されてもよい。
【００６６】
本開示全体を通じて、２つの部分／要素の間の距離は、それぞれの部分／要素の最も近い点の間の距離として理解されてもよい。
【００６７】
２つの一次ゾーンの間の距離は、それぞれの一次ゾーンに関する２つのスロット間の距離と一致してもよい。
【００６８】
複数のスロットは、３つのスロットを含んでもよい。３つのスロット、すなわち少なくとも３つのスロットを含む任意の実施形態の場合、隣接する一次ゾーンの間の距離は、同じであってもよい。
【００６９】
少なくとも１つの一次画像情報部分は、色分けされた情報を含んでもよい。これは、例えば、「バイナリ」色分け（すなわち、２つの異なる色による色分けの使用）を含み得、例えば、緑色／橙色、又は２つの異なる色の任意の他の組み合わせを用いて、スロットの利用可能／利用不可を指示することができる。例えば、空のスロットに関する各一次ゾーンは、第１の色、例えば緑色を含んでもよく、また空でないスロットに関する各一次ゾーンは、第２の色、例えば赤色／橙色を含んでもよい。
【００７０】
情報は、色分けされた情報ではなく、又は色分けされた情報と組み合わせて、光強度によって符号化されてもよい。例えば、スロットからのサンプラの取り外しなどの、ユーザによって必要とされ得る任意の動作の場合には、関係した一次ゾーンの少なくとも一部分の光強度を適宜変更することができる。
【００７１】
少なくとも１つの一次画像情報部分は、｛空、「占有中−使用中」、「エラー−−削除されるべき」、「吸引中（終了）−削除されるべき」等｝などの、関係したスロットの状態に関する情報を含んでもよい。
【００７２】
少なくとも１つの一次画像情報部分は、「処理中」などのサンプラの状態に関する情報など、又はサンプラを識別する情報などの、関係したスロットによって保持されるサンプラに関する情報を含んでもよい。
【００７３】
本発明に基づく装置は、複数の中間表示部分を備えることができ、これは、各スロットのための中間表示部分を含むことができる。各中間表示部分は、それぞれのスロットと、少なくとも１つの表示領域との間に設けられてもよい。「間」という用語は、上述のように、すなわち、例えば、ユーザの（意図された）視点に対して理解されてもよい。したがって、それぞれの中間表示部分は、一次ゾーンと、関係したスロットとの間の目を案内することができる。
【００７４】
各中間表示部分は、それぞれのスロットに関するそれぞれの中間情報を表示するように構成されてもよい。
【００７５】
各中間表示部分は、それぞれの中間表示部分と、少なくとも１つの表示領域との間の距離が、関係したスロットと、少なくとも１つの表示領域との間の距離よりも小さくなるように設けられてもよい。
【００７６】
各中間表示部分は、それぞれの中間表示部分と、少なくとも１つの表示領域の第１の縁部（第１の表示領域のうちの第１の縁部など）との間の距離が、関係したスロットと、少なくとも１つの表示領域の第１の縁部との間の距離よりも小さくなるように設けられてもよい。
【００７７】
それぞれの中間表示部分と、関係したスロットとの間の距離は、１０ｃｍ未満、例えば、５ｃｍ未満であってもよい。
【００７８】
各中間表示部分は、それぞれのスロットと、それぞれのスロットに関する一次ゾーンとの間に設けられてもよい。「間」という用語は、上述のように、すなわち、例えば、ユーザの（意図された）視点に対して理解されてもよい。したがって、それぞれの中間表示部分は、一次ゾーンと、関係したスロットとの間でユーザの目を案内することができる。
【００７９】
この装置は、それぞれの中間表示部分によって、関係したスロットの状態を指示するように構成されてもよい。
【００８０】
各中間表示部分は、ＬＥＤなどの発光部分を含んでもよい。
【００８１】
中間表示部分は、サンプラベッドのフレームなどによって、サンプラベッドと一体化され、かつ／又はサンプラベッドによって保持されてもよい。
【００８２】
一次ゾーンにおいて表示される一次画像情報部分、及び／又は中間表示部分によって表示される中間情報は、固定又は可変周波数リズムなどの脈動及び／又は変化する強度画像を含んでもよい。可変周波数脈動画像の場合、情報は、例えば、周波数によって符号化されてもよい。例えば、動作が必須であるか否かを指示することによってである。例えば、比較的遅い点滅は、ユーザからの注意／入力／動作が必須であることを指示してもよい。例えば、比較的速い点滅は、エラーを指示してもよい。これは、関係したスロットによって保持されている関係したサンプラが取り外される必要があることを指示することができる。
【００８３】
したがって、情報は、ユーザによって解釈され得る、単なる画像の呈示として理解されてもよい。
【００８４】
ＬＥＤは、オン／オフ方式を用いて制御されてもよく、その方式によって、各ＬＥＤは、オン又はオフのいずれかである。例えば、５０Ｈｚよりも速い切り替えは、それぞれのＬＥＤに、減衰させる錯覚を作り出すために利用されてもよい。
【００８５】
中間表示部分で画像を脈動させることは、特に有利な点であり得、その理由は、速やかに注意を引くことができ、また、一次ゾーンにおいて及び／又はそれ以外では少なくとも１つの表示ユニット／少なくとも１つの表示領域上に呈示されるなどの、特定のサンプラ／スロット、並びに関係した情報に確実に注意を引くことができるからである。比較的遅い点滅は、（以下に定義されるように）二次ゾーンのタッチセンサ式領域を使用するなどの情報を入力する必要性を指示することができる。
【００８６】
本発明に基づく装置は、少なくとも１つの表示領域の二次ゾーンにおいて二次画像情報を表示するように構成されることができる。二次画像情報は、選択された一次ゾーンのスロット、すなわち、選択された一次ゾーンに関するスロットに関係することができる。二次ゾーンは、関係した一次ゾーンが、選択されたスロットと、二次ゾーンとの間に提供されるように、設けられてもよい。
【００８７】
「間」という用語は、上述のように、すなわち、例えば、ユーザの（意図された）視点に対して理解されてもよい。したがって、選択された一次ゾーンは、二次ゾーンと、選択された一次ゾーンの関係したスロットとの間でユーザの目を案内することができる。
【００８８】
二次ゾーンは、選択された一次ゾーンと、関係したスロットとの間の距離が、二次ゾーンと、関係したスロットとの間の距離よりも小さくなるように設けられてもよい。
【００８９】
二次ゾーンは、選択された一次ゾーンが、二次ゾーンと、関係したスロットによって画定された近接点との間に存在するように、設けられてもよい。
【００９０】
二次ゾーンは、選択された一次ゾーンが、二次ゾーンと、第１の表示領域の第１の縁部との間に存在するように、設けられてもよい。
【００９１】
「選択された」という用語は、ユーザ及び／又は装置によって選択されるものとして理解されてもよい。ユーザ選択は、例えば、それぞれの一次ゾーンを能動的にクリック又はタッチすることによってなされ得る。装置による選択は、以下のうちの任意の１つ以上などの様々な態様に応答してもよい｛サンプラとのユーザのやり取り（設置すること又は取り外すことなど）に応答して、分析ユニットから得られた結果に応答して、例えば、ユーザが注意を払う必要がある何かが起こった場合の警報に応答して｝。
【００９２】
装置は、どの一次ゾーンが選択されたかを指示するように構成されてもよい。これは、例えば、以下のうちの任意の１つ以上によるなどの、本開示に記載された任意の方法によってなされ得る｛脈動及び／若しくは変化する強度画像、色分けされた情報、選択された一次ゾーンの表示された情報のサイズの変化（より大きなサイズなど）、並びに／又はゾーン自体のサイズの変化（選択されないゾーンと比較して、かつ／若しくは選択される前に、選択されたゾーンを拡大するなど）｝。装置は、１つのゾーンのみが同時に選択され得るように、設けられてもよい。
【００９３】
二次ゾーンは、一次ゾーンの各々に隣接してもよい。二次ゾーンは、一次ゾーンの各々と境界を接してもよい。一次ゾーンの各々は、少なくとも１つの表示領域（第１の表示領域など）の境界及び縁部（第１の縁部など）と接してもよい。
【００９４】
二次画像情報は、例えば、それぞれのスロットからの、サンプラから取り出された試料に関する情報であってもよい。
【００９５】
たとえこの情報が、選択された一次ゾーンに関するスロットの内容物及び／又は情報に対して古い場合であっても、二次画像情報は、少なくとも１つの表示ユニット／少なくとも１つの表示領域上に留まることができる。二次画像情報は、例えば、ユーザが適切な動作を行うまで、又は予め設定された時間が経過するまで、例えば、それらどちらかでも最初に生じるまで、少なくとも１つの表示ユニット／少なくとも１つの表示領域上に留まることができる。ひとたび一次ゾーンが選択されると、関係した二次情報は、例えば、特定の事象が生じるまで、二次ゾーン上に留まることができる。そのような事象は、以下のうちの１つ以上を含んでもよい｛ユーザが呈示された情報を選択しない、別の一次ゾーンが選択される（例えば、ユーザによって、別の一次ゾーンに関するスロットにサンプラを設置すること）、装置、及び／又は少なくとも１つの表示ユニットが、アイドル状態に入り、この状態は、例えば、最後のやり取り若しくは選択、又は情報の別の変化から、予め設定された時間が経過した後にあり得る。この予め設定された時間は、例えば、２０秒〜３時間以上のいずれであってもよい。２分又は５分などの、それらの間の任意の値が可能である。｝
【００９６】
例えば、サンプラは、スロットから取り外され得、一次画像情報部分を変更することができる。そのとき、これは、例えば、適切な動作がユーザにより取られるまで、二次ゾーン上に表示された任意の関係した情報に影響を及ぼさないようにすることができる。
【００９７】
二次画像情報は、関係した一次画像情報部分を補完することができる。この文脈では、「補完」という用語は、それぞれの一次画像情報部分によって提供されることに加えて情報を提供することとして理解され得る。
【００９８】
二次画像情報は、例えば、サンプラがスロットに設けられた後に現れ得る。したがって、ユーザは、サンプラに関する情報を入力するように要求され得る。
【００９９】
サンプラがスロットに設けられた後、サンプラの手動及び／又は自動による識別が実行され得る。
【０１００】
装置は、サンプラを自動的に識別するように構成された識別子ユニットを含むことができる。これは、例えば、それぞれのサンプラ上のバーコード、及び装置に又は装置と共に提供されるバーコードスキャナによって実行することができる。
【０１０１】
二次画像情報は、例えば、サンプラに関する入力が提供される必要がある場合に、現れ得る。
【０１０２】
二次画像情報は、例えば、サンプラに関する分析ユニットからの結果が準備されているときに、現れ得る。
【０１０３】
二次画像情報は、例えば、ユーザから緊急注意が必要とされる場合に、例えば、エラーが観察された場合に、現れ得る。
【０１０４】
二次画像情報は、例えば、装置が「使用中」状態にある場合、例えば、サンプラから試料が再度引き出されている場合に、現れ得る。
【０１０５】
少なくとも１つの入口は、任意のスロットから、サンプラからの体液試料を引き出すように構成された第１の入口を含んでもよい。
【０１０６】
ユーザは、例えば、二次ゾーン内などの少なくとも１つの表示ユニット／少なくとも１つの表示領域のうちの１つ以上のタッチセンサ式領域を介して、（更なる）情報を入力する必要があり得る。
【０１０７】
装置は、スロットにおけるサンプラの受容を検出するように構成された１つ以上のセンサを含んでもよい。本発明に基づく装置及び／又は方法の使用は、以下の順番、又は別の順番の以下のステップのうちの１つ以上を含み得る。
−ユーザが、１つ以上の一次画像情報部分を読み取る
−ユーザが、空のスロットを設置する
−ユーザが、以前の空のスロットにサンプラを設置する
−センサが、スロットにおけるサンプラを検出する
−対応する中間表示部分が、スロットに関係した、更新された中間情報を示す
−表示ユニットが、関係した一次ゾーン内のスロットに関する更新された状態／情報を示す
−識別子ユニットが、受容されたサンプラを自動的に識別する
−表示ユニットが、関係した一次ゾーン内の受容されたサンプラについての更新された状態／情報を示す
−ユーザが、二次ゾーン内に追加情報を入力する
−ユーザが、二次ゾーン内のボタンを押すことによって、表示された二次ゾーン内の情報を承認する
−キューミキサが、サンプラ内容物の混合を開始する
−サンプラベッドが、サンプラスロットを入口に移動させる
−入口が、サンプラから試料を吸引する
−サンプラベッドが、表示器の下方の位置に戻るように移動する
−ユーザは、分析ユニットからの試料の分析が終了するのを待つ
−ユーザは、二次ゾーンから結果を得る
【０１０８】
図１は、サンプラ（例示せず）からの体液試料を分析するための、本発明に基づく装置２の第１の実施形態を概略的に例示している。この装置２は、｛サンプラベッド４、分析ユニット（図７の９２を比較参照）、少なくとも１つの入口６、及び少なくとも１つの表示領域８を含む少なくとも１つの表示ユニット｝を備える。少なくとも１つの表示領域は、第１の表示領域１８を含む。サンプラベッド４は、複数のスロット１０（３つのスロット、１０ａ、１０ｂ、及び１０ｃ）を含み、各スロット１０は、体液試料を収容するサンプラを受容するように構成されている。分析ユニットは、体液試料を分析するように構成されている。少なくとも１つの入口６は、スロット１０のいずれかから、サンプラからの体液試料を引き出し、引き出された体液試料を分析ユニットに供給するように構成されている。図１では、サンプラベッド４が、第１の位置に存在する。本開示全体を通じて、参照番号１０は、｛１０ａ、１０ｂ、１０ｃ｝のうちのいずれか又はすべてを指す。同じことが、下記の参照番号１２、１４、２４、２６、４０、及び４２について準用される。
【０１０９】
装置２は、少なくとも１つの表示領域８の複数の一次ゾーン１２（３つの一次ゾーン、１２ａ、１２ｂ、及び１２ｃ）内に画像情報を同時に表示するように構成されている。複数の一次ゾーンは、各スロット１０ａ、１０ｂ、１０ｃに対して各スロット１２ａ、１２ｂ、１２ｃを含む。一次ゾーン１２の各々は、それぞれのスロット１０と個々に対面している。例えば、一次ゾーン１２ａは、スロット１０ａと対面し、一次ゾーン１２ｂは、スロット１０ｂと対面し、かつ一次ゾーン１２ｃは、スロット１０ｃと対面している。画像情報は、各一次ゾーン１２ａ、１２ｂ、１２ｃ内にそれぞれの一次画像情報部分を含む。各それぞれの一次画像情報部分は、それぞれの一次ゾーン１２によって対面されたそれぞれのスロット１０に関係する。例えば、一次ゾーン１２ａ内の一次画像情報部分は、それぞれの一次ゾーン１２ａによって対面するそれぞれのスロット１０ａに関係する。
【０１１０】
各スロット１０ａ、１０ｂ、１０ｃは、第１の表示領域１８の第１の縁部１６上のそれぞれの近接点１４ａ、１４ｂ、１４ｃを画定する。各それぞれの近接点１４ａ、１４ｂ、１４ｃは、それぞれのスロット１０ａ、１０ｂ、１０ｃに最も近い第１の縁部６上の点として画定されている。各一次ゾーン１２は、別のスロット１０により画定された任意の他の近接点１４に対してよりも、関係したスロット１０により画定された近接点１４に近い。例えば、一次ゾーン１２ｂは、別のスロット１０ａ、１０ｃによりそれぞれ画定された任意の他の近接点１４ａ、１４ｃに対してよりも、関係したスロット１０ｂにより画定された近接点１４ｂに近い。
【０１１１】
図２は、装置の一部の特定の整列を例示する、重なり合った点線２０、２２、２４ａ、２４ｂ、２４ｃを有する、図１の実施形態を概略的に例示している。複数のスロット１０は、（図２の延長された点線２０によって例示されている）第１の整列を形成する。一次ゾーン１２は、（図２の延長された点線２２によって例示されている）第２の整列を形成する。第２の整列２２は、第１の整列２０に平行である。
【０１１２】
複数のスロット１０及びそれぞれの一次ゾーン１２は、格子状構造に配置されている。
【０１１３】
各一次ゾーン１２は、関係したスロット１０と共に一次整列２４を形成する（３つの一次整列、２４ａ、２４ｂ、及び２４ｃは、図２のそれぞれの延長された点線２４ａ、２４ｂ、２４ｃによって例示されている）。一次整列２４は、すべて平行である。例えば、一次ゾーン１２ａは、関係したスロット１０ａと共に一次整列２４ａを形成する。
【０１１４】
一次ゾーン１２と、関係したスロット１０との間の距離は、２０ｃｍ未満である。
【０１１５】
２つの一次ゾーン１２間の距離は、関係した２つのスロット１０間の距離と一致する。例えば、２つの一次ゾーン１２ａと１２ｂとの間の距離は、関係した２つのスロット１０ａと１０ｂとの間の距離と一致する。
【０１１６】
図１に例示した実施形態の場合、複数のスロット１０は、３つのスロット１０ａ、１０ｂ、１０ｃを含み、それらからなる。一次ゾーン１２ｂと、各隣接する一次ゾーン１２ａ、１２ｃとの間の距離は、同じである。例えば、１２ｂと１２ａとの間の距離は、１２ｂと１２ｃとの間の距離と同じである。
【０１１７】
装置２は、各スロット１０のための中間表示部分を含む複数の中間表示部分２６（３つの中間表示部分、２６ａ、２６ｂ、２６ｃ）を含む。各中間表示部分２６は、それぞれのスロット１０と、少なくとも１つの表示領域８との間に設けられている。例えば、中間表示部分２６ａは、それぞれのスロット１０ａと、少なくとも１つの表示領域８との間に設けられている。各中間表示部分２６は、それぞれのスロット１０に関するそれぞれの中間情報を表示するように構成されている。
【０１１８】
装置２は、少なくとも１つの表示領域８の二次ゾーン２８で二次画像情報を表示するように構成されている。二次画像情報は、選択された一次ゾーン１２に関するスロット１０と関係する。例えば、一次ゾーン１２ａが選択された場合、二次画像情報は、選択された一次ゾーン１２ａに関するスロット１０ａと関係するであろう。二次ゾーン２８は、関係した一次ゾーン１２が、選択されたスロット１０と、二次ゾーン２８との間に設けられるように提供されている。
【０１１９】
二次ゾーン２８は、各一次ゾーン１２が、二次ゾーン２８と、関係したスロット１０により画定されたそれぞれの近接点１４との間に存在するように、設けられている。
【０１２０】
二次ゾーンは、一次ゾーンと境界を接してもよい。隣接する一次ゾーンは、互いに境界を接してもよい。
【０１２１】
少なくとも１つの入口６は、任意のスロット１０から、サンプラからの体液試料を引き出すように構成された第１の入口３０を含む。
【０１２２】
図１〜３に例示した装置２の場合、サンプラベッド４（個々のスロット１０を含む）は、第１の入口３０に対して移動可能である。これは、スロット１０から、サンプラからのそれぞれの体液試料を引き出すために利用される。これは、図３に関連して更に説明される。
【０１２３】
図３は、図１の実施形態を概略的に例示し、サンプラベッド４が第２の位置に移動されている。第２の位置は、スロット１０ａなどのスロットから、サンプラ（例示せず）からの試料を引き出すために利用される。
【０１２４】
したがって、以下｛サンプラベッド４、少なくとも１つの表示領域８｝のうちの少なくとも一方が、他方に対して移動される場合（図１及び２に例示した第１の位置から、図３に例示した第２の位置にサンプラベッド４を移動させるなど）、一次ゾーンは、個々に関係したスロットとは別々に対面しなくてもよい。
【０１２５】
図４は、本発明の少なくとも１つの表示領域の典型的なゾーンを概略的に例示している。二次ゾーン２８は、例えば、異なる二次情報を呈示するための複数のサブゾーン４４、４６を含んでもよい。各一次ゾーン１２は、例えば、異なる一次情報を呈示するための複数のサブゾーン４０、４２を含んでもよい。サブゾーン４０ａは、中間表示部分２６によって提供されるものと同様の情報を提供することができ、例えば、同じ色、及び／若しくは光強度、並びに／又は光強度の変化と同じ頻度などの変化する外観を呈示することによって、提供することができる。
【０１２６】
図５は、サンプラからの体液試料を分析するための、本発明に基づく方法６０の第１の実施形態を概略的に例示している。方法６０は、複数のスロットを含むサンプラベッドのスロットに体液試料を収容するサンプラを受容すること６２を含む。方法６０は、入口を使用して、サンプラから体液試料を引き出すこと６４を含む。方法６０は、引き出された体液試料を、体液試料を分析するように構成された分析ユニットに提供すること６６を含む。方法６０は、少なくとも１つの表示領域の複数の一次ゾーン内に画像情報を同時に表示すること６８を含む。複数の一次ゾーンは、各スロットのための一次ゾーンを含む。一次ゾーンの各々は、それぞれのスロットに個々に対面している。画像情報は、各一次ゾーン内にそれぞれの画像情報部分を含む。各それぞれの一次画像情報部分は、それぞれの一次ゾーンによって対面されるそれぞれのスロットに関係する。
【０１２７】
図６は、図１の実施形態の断面側面図を概略的に例示しており、この断面図は、図２の点線２４ｂに沿って点線２４ｃの方向に向いている。一次ゾーン１２ｂは、二次ゾーン２８と、関係したスロット１０ｂとの間に設けられ、「間」という用語は、（本開示で定義されているように）ユーザの（意図された）視点８０に対するものとして理解されるべきである。したがって、一次ゾーン１２ｂは、二次ゾーン２８と、一次ゾーン１２ｂの関係したスロット１０ｂとの間でユーザの目を案内することができる。
【０１２８】
例示の目的のため、一次ゾーン１２ｂ及び二次ゾーン２８は、少なくとも１つの表示領域８のそれぞれの部分の周囲の点線によって印されている。
【０１２９】
中間表示部分２６ｂは、中間表示部分２６ｂと、少なくとも１つの表示領域８との間の距離が、関係したスロット１０ｂと、少なくとも１つの表示領域８との間の距離よりも小さくなるように設けられている。更に、中間表示部分２６ｂと、関係したスロット１０ｂとの間の距離は、１０ｃｍ未満である。
【０１３０】
二次ゾーン２８は、一次ゾーン１２ｂと、関係したスロット１０ｂとの間の距離が、二次ゾーン２８と、関係したスロット１０ｂとの間の距離よりも小さくなるように設けられている。
【０１３１】
図７は、図１〜３及び図６に例示した装置２の実施形態のブロック図を概略的に例示している。装置２は、｛サンプラベッド４、少なくとも１つの入口６、少なくとも１つの表示ユニットの少なくとも１つの表示領域８、及び分析ユニット９２｝を制御するように構成された制御ユニット９０を備える。これは、それぞれの制御線９４によって例示されている。制御ユニット９０は、分析ユニット９２からの結果を受信することができる。分析ユニット９２からの結果は、少なくとも１つの表示領域２上に表示するための少なくとも１つの表示ユニットに提供されることができる。
【０１３２】
いくつかの特徴を列挙している装置の請求項においては、これらの特徴のうちのいくつかが、ハードウエアのうちの１つ及び同じ項目によって実施することができる。特定の手段が、互いに異なる従属請求項に挙げられている又は異なる実施形態に説明されているという事実だけでは、これらの手段の組み合わせを有利に使用できないことにはならない。
【０１３３】
特定の実施形態が示され記載されてきたが、特許請求される発明を限定することを意図するものではないことが理解され、特許請求される発明の趣旨及び範囲から逸脱することなく様々な変更及び修正がなされ得ることが当業者には明白であろう。したがって、本明細書及び図面は、制限的な意味ではなく例示的なものと見なされるべきである。特許請求される発明は、代替物、修正物、及び等価物を包含することを意図している。
【０１３４】
本明細書で使用する場合「備える（comprises/comprising）」という用語は、述べられた特徴、整数、ステップ、又はコンポーネントの存在を規定するように使われるが、１つ以上の他の特徴、整数、ステップ、コンポーネント又はこれらのグループの存在若しくは追加を排除するものではないことを強調しておきたい。
【０１３５】
本発明の範囲又は趣旨から逸脱することなく、本発明の構造に様々な修正及び変更を加えることができることは、当業者には明らかであろう。上記を考慮すると、本発明は、以下の特許請求の範囲及びそれらの等価物の範囲内にある限り、本発明の修正及び変形を包含することが意図される。
【図１】
2020514698.tif 000003
【図２】
2020514698.tif 000004
【図３】
2020514698.tif 000005
【図４】
2020514698.tif 000006
【図５】
2020514698.tif 000007
【図６】
2020514698.tif 000008
【図７】
2020514698.tif 000009
【国際調査報告】
2020514698.tif 000010
2020514698.tif 000011
2020514698.tif 000012